(57)【要約】【課題】加齢や、簡易な手術の戦災傷などで、切断足の痩せて骨ばった中高年者向きの義足のソケット部を提供する。【解決手段】在来のソケット部を見直し、外ソケットと内ソケットに分けた機構を用いて嵌め合いを行ったので、切断足の先端部と側面部分などに体重を支持する面積を広げて、皮膚などの擦れ傷みを防いでいる。また軽量化にも努めて従来義足よりも軽くできた。さらにリングを多用して自己懸垂性が大きいことを特徴とする。【選択図】  図１
2010046470.tif 000002
【特許請求の範囲】
【請求項１】
第1のテーパー状略円筒体の細径端側に底部材が設けられてなる外ソケットと、スリットを有する第2のテーパー状略円筒体の内側にスリットを有する二つ以上のリングを取り付け、前記二つ以上のリングの内側を内張り材で覆いさらに、前記第２のテーパー状略円筒体の細径側端部に第2のスペーサーを嵌め、前記第2のスペーサーの前記リング側に断端部緩衝材を嵌めてなる内ソケットからなるソケット部であって、前記外ソケットの内側底に置いた第1のスペーサーの上面側に、前記内ソケットを挿入してなることを特徴とするソケット部。
【請求項２】
前記底部材の上面側にスペーサーキー溝を設けると共に、前記第1のテーパー状略円筒体にスペーサーキー孔を設け、該スペーサーキー孔からスペーサーキーを前記スペーサーキー溝に挿入し、前記スペーサーキーの上に置いた前記第1のスペーサーの上面側に、前記内ソケットを挿入してなることを特徴とする請求項1に記載のソケット部。
【請求項３】
前記内ソケットを挿入するときに、前記第２のテーパー状略円筒体の外周に取り付けられた２つ以上の取っ手の先端部に取り付けられた面ファスナーを、第1のテーパー状略円筒体の外周に設けられた２つ以上の面ファスナーにつないでなることを特徴とする請求項1又は２に記載のソケット部。
【発明の詳細な説明】
【技術分野】
【０００１】
この発明は、義足に関し、特に、加齢や戦災傷等の簡易な手術断端の人の歩行を補助するために用いられる義足のソケット部に関するものである。
【背景技術】
【０００２】
在来式の義足は、切断足の断端を収納して、体重を支持しながら断端の動きを義足に伝える略円筒状のソケット部（下肢部等）と、このソケット部における断端の収納端部とは反対側の端部に取り付けられる合成樹脂製の義足部と、を備えた構成となっている。ここでソケット部は、その装飾性、使用性、及び耐久性等を考慮して、プラスチック等の合成樹脂で製造することが一般的である（例えば、特許文献1参照）。さらに義足の略円筒体内面にスポンジあるいはバネなど緩衝材を付け、それを覆うように革張にしているものもある（例えば、特許文献2参照）。
【特許文献１】特開平８−８９５１９号公報
【特許文献２】登録実用新案３１２９６９５号
【発明の開示】
【発明が解決しようとする課題】
【０００３】
在来式の差し込みソケット（注１）型の義足は、切断足の断端とソケット内面との間に余裕を持たせて適合させたものであり、加齢等で痩せて骨ばった断端は、体重支持部位も小さく狭くなり、単位荷重が増しさらに自己懸垂性も低下して皮膚等の擦れ、傷みが激しくなる難点がある。
【０００４】
前項、登録実用新案３１２９６９５号は、差し込みソケット（注１）型の義足の改良型であることから、差し込みソケットの軸方向に板バネを使用することにより断端の差し込みは容易で、耐久性も良好となったが、しかし、義足を使用中、断端が常に板バネから受ける静圧は苦痛につながり、また板バネは義足のソケットの軸方向に延伸するように取り付けられており、断端はソケットの軸方向に滑りやすく、皮膚等の擦れも解消は限定的との難点がある。
【０００５】
在来式の全面接触ソケット（注２）型の義足は、切断足の端断面が神経過敏の人では使用出来ないこともあり難点がある。
【０００６】
前項、特開平８−８９５１９号公報は、吸着式ソケット（注３）型の義足であり、切断足の断端に対して緩衝材を持たず、その役を断端の筋肉等に依存しているため、痩せた断端には適さない難点がある。
【０００７】
注１  切断端とソケット内面との間に余裕を持たせて適合させたソケットの総称（ＪＩＳ用語）。
注２  切断端とソケット内面との間に余裕を無くし断端表面全体がソケット内壁と緊密に接触するように適合させた、ソケットの総称（ＪＩＳ用語）。
注３  ソケット内壁で断端の軟部組織を適度に圧迫することによって、ソケット内面と断端表面との間に吸着作用を生じさせ自己懸垂性を持たせたソケットの総称（ＪＩＳ用語）。
【０００８】
本発明は、以上のような難点をなくすためになされたものであり、皮膚等の擦れ、傷みを小さくすることができるソケット部を提供することを課題としている。
【課題を解決するための手段】
【０００９】
このような課題を解決するために、請求項1の発明は、第1のテーパー状略円筒体の細径端側に底部材が設けられてなる外ソケットと、スリットを有する第2のテーパー状略円筒体の内側にスリットを有する二つ以上のリングを取り付け、前記二つ以上のリングの内側を内張り材で覆いさらに、前記第２のテーパー状略円筒体の細径側端部に第2のスペーサーを嵌め、前記第2のスペーサーの前記リング側に断端部緩衝材を嵌めてなる内ソケットからなるソケット部であって、前記外ソケットの内側底に置いた第1のスペーサーの上面側に、前記内ソケットを挿入してなることを特徴とするソケット部を提供する。
【００１０】
また、請求項2の発明は、前記底部材の上面側にスペーサーキー溝を設けると共に、前記第1のテーパー状略円筒体にスペーサーキー孔を設け、該スペーサーキー孔からスペーサーキーを前記スペーサーキー溝に挿入し、前記スペーサーキーの上に置いた前記第1のスペーサーの上面側に、前記内ソケットを挿入してなることを特徴とする請求項1に記載のソケット部を提供する。
【００１１】
また、請求項３の発明は、前記内ソケットを挿入するときに、前記第２のテーパー状略円筒体の外周に取り付けられた２つ以上の取っ手の先端部に取り付けられた面ファスナーを、第1のテーパー状略円筒体の外周に設けられた２つ以上の面ファスナーにつないでなることを特徴とする請求項1又は２に記載のソケット部を提供する。
【発明の効果】
【００１２】
請求項1の発明のソケット部は、第1のテーパー状略円筒体の細径端側に底部材が設けられてなる外ソケットと、スリットを有する第2のテーパー状略円筒体の内側にスリットを有する二つ以上のリングを取り付け、前記二つ以上のリングの内側を内張り材で覆いさらに、前記第２のテーパー状略円筒体の細径側端部に第2のスペーサーを嵌め、前記第2のスペーサーの前記リング側に断端部緩衝材を嵌めてなる内ソケットからなるソケット部であって、前記外ソケットの内側底に置いた第1のスペーサーの上面側に、前記内ソケットを挿入してなることを特徴としているので、歩行等に際し、体重等を主に内ソケットに取り付けた二つ以上のリングにより分担しあい、切断足の断端の側面部分の皮膚等はリングに応じた凹凸状（約１．５ミリ）となり、切断足の断端はソケットの軸方向に滑りにくくなり、ソケット部の自己懸垂性が高まる。また、皮膚と内張材は共に動く（皮膚の弛み分だけは動く）ため体重支持部位は広がり皮膚等の擦れ、傷みを小さくする効果がある。
【００１３】
第１のスペーサーの厚みを加減すれば、第２のテーパー状略円筒体とリングにスリットが設けられているので、内ソケット内径が変化して、内ソケットに収納した切断足の断端と内ソケットとの接触の状態が変わって、皮膚等への圧迫状態が変わり皮膚等の擦れ、傷みの場所を避けることもできる。このため擦れたり傷んだ場所を養生しながら歩行等を続けることができ、皮膚等の擦れ、傷みを小さくする効果がある。
【００１４】
第２のスペーサーは、その厚みを変えることにより切断足の断端面と側面との体重支持量を使用者が容易に変えられるから、切断足の断端の皮膚等の擦れ傷みを加減できる効果がある。
【００１５】
さらに、内ソケットは取り外し、取替え等が容易にできるので、リングの位置を変えたり、大きさを変える等して、体重支持部位をずらした内ソケットを複数個用意しておけば、断端が擦れたり傷んだときは内ソケットを取り替えることにより、擦れたり傷んだ場所を養生しながら歩行等を続けることができ、皮膚等の擦れ、傷みを小さくする効果がある。
【００１６】
請求項２の発明は、前記底部材の上面側にスペーサーキー溝を設けると共に前記第1のテーパー状略円筒体にスペーサーキー孔を設け、該スペーサーキー孔からスペーサーキーを前記スペーサーキー溝に挿入し、前記スペーサーキーの上に置いた前記第1のスペーサーの上面側に、前記内ソケットを挿入してなることを特徴としているので、スペーサーキーをスペーサーキー孔からスペーサーキー溝に挿入することにより、第１のスペーサーの厚みを加減するのと同様の作用が得られる効果がある。
【００１７】
また、請求項３の発明は、前記内ソケットを挿入するときに、前記第２のテーパー状略円筒体の外周に取り付けられた２つ以上の取っ手の先端部に取り付けられた面ファスナーを、第1のテーパー状略円筒体の外周に設けられた２つ以上の面ファスナーにつないでなることを特徴としているので、前記内ソケットを任意の位置に留めることにより、第１のスペーサーの厚みを加減するのと同様の作用が得られ、手軽に操作できる効果がある。
【発明を実施するための最良の形態】
【００１８】
以下、本発明を実施するための最良の形態について説明する。
【実施例１】
【００１９】
図1は実施例１を示す義足のソケット部の断面概略図である。
【００２０】
１００はソケット部、１０１は外ソケット、１０２は内ソケットである。
外ソケット１０１は、ＦＲＰ製の第1のテーパー状略円筒体1の細径端側に木製の底部材１４が接着箇所１３で接着されて取り付けられている。
第１のテーパー状略円筒体１の内側の大きさは第２のテーパー状略円筒体２と第１のスペーサー１２を収納できる大きさで第１のテーパー状略円筒体１の内周面の形状は第２のテーパー状略円筒体２の外形とほぼ同形となっている。
【００２１】
底部材１４の上面側にスペーサーキー溝１８が設けられ、第１のテーパー状略円筒体１にスペーサーキー孔２０が設けられていて、スペーサーキー１９がスペーサーキー孔２０からスペーサーキー溝１８に挿入されている。スペーサーキー１９には図示していない紐が片端に取り付けられていて、スペーサーキー１９は外ソケット１０１に設けた孔２０から挿入されて、スペーサーキー１９の片端に取り付けた紐で、外ソケット１０１に縛り付け抜け落ちないようにされている。
【００２２】
スペーサーキー１９の上に第１のスペーサー１２が置かれている。１５，１５ａ、１６，１７は面ファスナーで外ソケット１０１の外周に接着剤などで接着されている。
なお、底部材１４の下面側には図示していないが合成樹脂製の義足部が接着剤で接着されている。また、面ファスナー１５ａと１６は別体としたが一体としてもよいし、面ファスナー１５と１７も別体としたが一体としてもよい。この場合、面ファスナー９、９ａを留めたり、外したりするのがやりやすくなる。
外ソケット１０１は、その第１のテーパー状略円筒体１の内側の底に第１のスペーサー１２を置かれ、さらに内ソケット１０２を嵌め合うように設けられている。
【００２３】
内ソケット１０２は、図２に示すように、その後背部で縦方向に全長にわたって８ミリ幅で削りとったスリット１１を有するＦＲＰ製の第２のテーパー状略円筒体2の内側に、図３に示すように、その後背部で縦方向に全長にわたって８ミリ幅で削りとったスリット２３を有する高反発緩衝材製リング４，５，６が取り付けられており、さらに高反発緩衝材製リング４，５，６と同様のスリット２４を有する低反発緩衝材製リング２１，２２が取り付けられている。これら５つのリングの内側は低反発緩衝材（たとえば皮革）製内張り材３で覆われていて、内張り材内周面は切断足の断端の形状に合わせてある。
第２のテーパー状略円筒体２の細径側端部に第２のスペーサー８が嵌められていて、第２のスペーサー８のリング４，５，６，２１，２２側に断端部緩衝材７が嵌められている。なお、スペーサー８と断端部緩衝材７はあらかじめ接着剤等で一体化されていてもよい。
また、スペーサー８と断端部緩衝材７は第２のテーパー状略円筒体２の内側との間に隙間を持って第２のテーパー状略円筒体の細径側端部に嵌められていてもよい。
【００２４】
なお、第２のテーパー状略円筒体２のスリット１１および高反発緩衝材製リング４，５，６低反発緩衝材製リング２１，２２のスリット２４の位置はソケット部１００の後背部となっているが、スリットの位置はソケット部１００の後背部に限られるものではなく、使用者にとって使い勝手の良い位置とすればよい。
また、第２のテーパー状略円筒体２の外形は使用者の切断足の断端形状に合わせた先細り形状にするのが望ましい。
１０，１０ａは取っ手で、たとえば皮革で出来ていて、その一方端は第２のテーパー状略円筒体２の外周面上端から２０ミリ下に接着剤などで接着されている。他方端には面ファスナー９，９ａが接着されている。  
【００２５】
上記のソケット部を使用する時は、使用者は切断足の断端を内ソケット１０２に挿入した状態で外ソケット１０１に内ソケット１０２を挿入し、取っ手１０を曲げて面ファスナー９を外ソケット１０１の上部外周に接着剤などで接着されている面ファスナー１５に押し当てて留めて、さらに取っ手１０ａを曲げて面ファスナー９ａを外ソケット１０１の上部外周に接着剤などで接着されている面ファスナー１５ａに押し当てて留める、留め方を適宜に加減すれば内ソケット１０２の進入を制御できてスペーサーキーと同じ作用をする。
なお、切断足の断端を内ソケット１０２に挿入する際は、第２のスペーサー８および断端部緩衝材７が落下しないように挿入する。
この場合、第２のスペーサー８を第２のテーパー状略円筒体の内側に面ファスナーなどで部分付けしておくと落下が防止できて望ましい。
【００２６】
さらに図示しない懸垂バンドの面ファスナーを外ソケット１０１の外周に接着剤などで接着されている面ファスナー１６、１７に押し当てて留める。なお、面ファスナー１６，１７は従来の接続端子であってもよい。さらに、切断足の断端を内ソケット１０２に挿入する時には断端袋を装着することもできる。
【００２７】
歩行等を続け、使用者が切断足の断端の皮膚等の擦れや傷みを感じた時は第２のスペーサー８、第一のスペーサー１２、スペーサーキー１９を適宜取り替えることにより切断足の断端面と側面との体重支持量を変えることが出来て、切断足の断端の皮膚等の擦れや傷みを加減できる。
なお、スペーサーキー１９の取替えはソケット部の使用時にも行うことが出来るので、切断足の断端面と側面との体重支持量を変えることができるからより好ましい。
【００２８】
また、歩行を中断して椅子などに腰掛ける時はスペーサーキー１９を厚いものに取り替える事により切断足の断端の大径部分で主に体重を支持させることができるので、断端の他の部分には圧迫感がなくなり、断端を休息状態とすることができる。また、車の運転などの座り仕事や室内の椅子などに腰掛けるときなどにも同様の動作を行うことにより、断端を休息状態とすることができる。
【００２９】
なお、本発明の試用者は昭和２１年以来の差込ソケット型の義足の使用暦をもち、近年の歩容は対の足の膝関節変形症が進行して跋行性が高まり、短い義足の使用時間でも疲れることがあったが、試用４ヶ月の今日では、対の足の膝関節変形症も良くなり、歩容が改善され、長時間の使用でも疲れることが少なくなった。この原因としては、本発明品を使用した義足の重量が約８５０グラムと軽量であることと、切断足の断端の先端部をリングで支持する構造が足の動作の機敏さに繋がり、足取りが軽くなり、歩行等動作時に対の足の膝の負担を軽くしたことが考えられる。
【実施例２】
【００３０】
実施例１における第１のテーパー状略円筒体１の大径端背面側に１本ないし複数本のスリットを１３０ミリ位の長さに設け、第１のテーパー状略円筒体１の上端部外周面にベルトを付け、このベルトを緩めたり、締めたりして切断端の着脱を容易にすることもできる。なお、ベルトは第１のテーパー状略円筒体１の大径端に折り返して面ファスナー止めされるとよい。
【００３１】
また、外ソケット１０１と第2のテーパー状略円筒体2は、体重、身長をもとに大、中、小数種類のサイズに分けて準備しておき、そして、切断足の断端に合う外ソケット１０１と第２のテーパー状略円筒体2を前記数種類から選び、スリット付きリング４, リング５, リング６（高反発緩衝材製）とスリット付きリング２１，リング２２（低反発緩衝材製）を各人それぞれの切断端に合わせたものを準備して第２のテーパー状略円筒体２の内側に取り付け、内張り材３（低反発緩衝材）を内張りすれば各人に合った内ソケット１０２を容易に作ることが出来る。
【図面の簡単な説明】
【００３２】
【図１】本発明の実施例１を示すソケット部の前からみた断面概略図である。
【図２】本発明の実施例１を示す第２のテーパー状略円筒体の斜視図である。
【図３】本発明の実施例１を示す高反発緩衝材製リングの斜視図である。
【符号の説明】
【００３３】
１００  ソケット部
１０１  外ソケット
１０２  内ソケット
１  第1のテーパー状略円筒体
２  第2のテーパー状略円筒体
３  内張り材
４  リング
５  リング
６  リング
７  断端部緩衝材
８  第2のスペーサー
９  面ファスナー
９ａ面ファスナー
１０  取っ手
１０ａ取っ手
１１  スリット
１２  第1のスペーサー
１３  接着箇所
１４  底部材
１５  面ファスナー
１５ａ面ファスナー
１６  面ファスナー
１７  面ファスナー
１８  スペーサーキー溝
１９  スペーサーキー
２０  スペーサーキー孔
２１  リング
２２  リング
２３  スリット
２４  スリット
【図１】
2010046470.tif 000003
【図２】
2010046470.tif 000004
【図３】
2010046470.tif 000005